(57)【要約】【課題】身体の形状の測定精度を高めると共に寝具を効率よく選択することができる寝具用形状測定装置を提供する。【解決手段】一形態に係る寝具用形状測定装置１は、被検者の身体に当てられる一端２ａと該一端２ａから長手方向に離れた他端２ｂとを有し、棒状体２の長手方向に交差する交差方向に並設してなる複数の棒状体２と、複数の棒状体２の各々を長手方向に移動可能に支持する第１支持部５及び第２支持部７と、複数の棒状体２の各々に対応して設けられ、対応する棒状体２の長手方向における位置を検出する複数のセンサ３と、複数のセンサ３によって検出された棒状体２の位置から、身体の形状データを取得する基板１５と、を備える。【選択図】図１
2017064107.tif 000002
【特許請求の範囲】
【請求項１】
被検者の身体に当てられる一端と該一端から長手方向に離れた他端とを有し、前記長手方向に交差する交差方向に並設してなる複数の棒状体と、
前記複数の棒状体の各々を前記長手方向に移動可能に支持する支持部と、
前記複数の棒状体の各々に対応して設けられ、対応する前記棒状体の前記長手方向における位置を検出する複数のセンサと、
前記複数のセンサによって検出された前記棒状体の位置から、前記身体の形状データを取得するデータ取得部と、
を備えた寝具用形状測定装置。
【請求項２】
前記センサは、赤外線を前記棒状体の他端に出力すると共に前記他端で反射される赤外線を受光して前記他端と前記交差方向に延在する基準面との距離を検出することによって、前記棒状体の前記長手方向における位置を検出し、
前記棒状体の他端には、前記赤外線を反射させる拡張部が形成されている、
請求項１に記載の寝具用形状測定装置。
【請求項３】
前記複数の棒状体の前記長手方向への移動を規制するブレーキを備え、
前記ブレーキは、
前記複数の棒状体が挿通される複数の挿通孔を有するブレーキ板と、
前記ブレーキ板を前記交差方向に引っ張るワイヤと、
前記ワイヤを介して前記ブレーキ板の移動を操作する操作部と、を有し、
前記操作部は、前記寝具用形状測定装置を把持するハンドルを兼ねている、
請求項１又は２に記載の寝具用形状測定装置。
【発明の詳細な説明】
【技術分野】
【０００１】
本発明は、被検者の身体の形状を測定する寝具用形状測定装置に関する。
【背景技術】
【０００２】
特開２００１−２９９５４５号公報には、枕の購入者に最適な枕を提供できるようにアドバイザーが購入者にアドバイスを行う枕の選択アドバイスシステムが記載されている。この選択アドバイスシステムでは、アドバイザーが購入者の頭部を触って後頭部の形状を確認すると共に、購入者の頸部の深さを測定器で測定する。この測定器は、購入者の後頭部及び頸部に当てられる複数の棒状体を備えており、これらの棒状体は、その長手方向に移動可能となっている。アドバイザーは、複数の棒状体の一端を後頭部及び頸部に当てて、各棒状体の変位を目視で確認することによって後頭部及び頸部の形状を測定する。そして、アドバイザーは、測定した後頭部及び頸部の形状を基に枕を選択して購入者に提供する。
【先行技術文献】
【特許文献】
【０００３】
【特許文献１】特開２００１−２９９５４５号公報
【発明の概要】
【発明が解決しようとする課題】
【０００４】
前述した寝具の選択では、複数の棒状体の変位を目で見て被検者の後頭部及び頸部の形状を測定し、この結果に基づいてアドバイザーが寝具を選択している。このように棒状体を目で見ることによって被検者の身体形状を測定しているので測定精度の点で改善の余地がある。また、棒状体を見たアドバイザーが測定結果から熟考して寝具を選択するので、寝具を効率よく選択することができないという問題がある。
【０００５】
本発明は、身体の形状の測定精度を高めると共に寝具を効率よく選択することができる寝具用形状測定装置を提供することを目的とする。
【課題を解決するための手段】
【０００６】
本発明の一側面に係る寝具用形状測定装置は、被検者の身体に当てられる一端と該一端から長手方向に離れた他端とを有し、長手方向に交差する交差方向に並設してなる複数の棒状体と、複数の棒状体の各々を長手方向に移動可能に支持する支持部と、複数の棒状体の各々に対応して設けられ、対応する棒状体の長手方向における位置を検出する複数のセンサと、複数のセンサによって検出された棒状体の位置から、身体の形状データを取得するデータ取得部と、を備える。
【０００７】
この寝具用形状測定装置では、複数の棒状体のそれぞれに対応して設けられて各棒状体の長手方向における位置を検出する複数のセンサと、複数のセンサによって得られた複数の棒状体の位置から身体の形状データを取得するデータ取得部とを備えている。このように複数のセンサが検出した棒状体の位置から身体の情報を形状データとして取得することによって、各棒状体の位置から形状データを自動的に取得することができる。従って、目視で棒状体の位置を確認した場合と比較して、身体の形状の測定精度を高めることができる。また、棒状体の一端を被検者の身体に当てることによって自動的に身体の形状を取得することができるので、被検者に適した寝具の選択を効率よく行うことができる。
【０００８】
また、センサは、赤外線を棒状体の他端に出力すると共に他端で反射される赤外線を受光して他端と交差方向に延在する基準面との距離を検出することによって、棒状体の長手方向における位置を検出し、棒状体の他端には、赤外線を反射させる拡張部が形成されていてもよい。このように棒状体と基準面との距離を赤外線で検出することにより、赤外線以外の手段を用いた場合と比較してセンサにかかるコストの上昇を抑えることができる。また、棒状体の他端に拡張部が設けられることによって赤外線の反射面積を大きくすることができるので、赤外線をより確実にセンサに反射させることができる。従って、身体の形状測定の品質を一層高めることができる。
【０００９】
また、複数の棒状体の長手方向への移動を規制するブレーキを備え、ブレーキは、複数の棒状体が挿通される複数の挿通孔を有するブレーキ板と、ブレーキ板を交差方向に引っ張るワイヤと、ワイヤを介してブレーキ板の移動を操作する操作部と、を有し、操作部は、寝具用形状測定装置を把持するハンドルを兼ねていてもよい。この場合、操作部を操作することによって、身体の形状の測定後に棒状体の位置を固定させることができる。従って、身体の形状の測定後に意図せず棒状体が移動してしまう事態を回避することができるので、一層高精度な身体形状の測定が可能となる。
【発明の効果】
【００１０】
本発明によれば、身体の形状の測定精度を高めると共に寝具を効率よく選択することができる。
【図面の簡単な説明】
【００１１】
【図１】実施形態に係る寝具用形状測定装置を示す平面図である。
【図２】図１の寝具用形状測定装置を示すシステム構成図である。
【図３】図１の寝具用形状測定装置においてセンサが基準面と棒状体との距離を検出する状態を示す図である。
【図４】（ａ）は、図１の寝具用形状測定装置の複数の棒状体を被検者の身体に当てている状態を示す図である。（ｂ）は、被検者の身体の形状データを表示した状態の一例を示す図である。
【発明を実施するための形態】
【００１２】
以下、図面を参照しながら本発明に係る寝具用形状測定装置の実施形態について説明する。以下の説明において、同一又は相当する要素には同一の符号を付し、重複する説明を省略する。
【００１３】
本実施形態の寝具用形状測定装置１は、枕の購入者等に適正な枕を選択できるデジタル計測器であり、枕の販売員又は枕を選択するアドバイザー等の使用者が最適な枕を選択可能とする装置である。寝具用形状測定装置１は、枕の購入者である被検者Ｍ（図４参照）の後頭部Ｐ１及び頸部Ｐ２（身体）の形状を形状データとして取得する。ここで、枕を選択するときに被検者Ｍの後頭部Ｐ１及び頸部Ｐ２の形状データを取得することは重要であるが、特に、後頭部Ｐ１の最も突出した部分の突出高さと、頸部Ｐ２の最も窪んだ部分の窪み深さを取得することが重要である。寝具用形状測定装置１は、取得した被検者Ｍの身体の形状データを基に、被検者Ｍに適した枕を自動的に選択して表示する機能を有する。
【００１４】
図１に示されるように、寝具用形状測定装置１は、被検者Ｍの後頭部Ｐ１及び頸部Ｐ２に当てられる複数の棒状体２と、各棒状体２の長手方向の一方側に配置された複数のセンサ３と、複数のセンサ３が固定されたベース部４と、複数の棒状体２が挿通された第１支持部５（支持部）、ブレーキ板６及び第２支持部７（支持部）とを備えている。第１支持部５及び第２支持部７は、複数の棒状体２の各々を長手方向に移動可能に支持している。
【００１５】
第１支持部５、ブレーキ板６及び第２支持部７は、この順でベース部４から近い順に配置されている。換言すれば、第２支持部７はセンサ３から見て最も遠い位置に配置されており、第１支持部５はセンサ３から見て最も近い位置に配置されており、ブレーキ板６は第１支持部５と第２支持部７の間に配置されている。ベース部４、第１支持部５、ブレーキ板６及び第２支持部７は、棒状体２の並設方向（図１の上下方向）における棒状体２の両側（上下側）に位置する２本の連結部材８によって互いに連結されている。
【００１６】
連結部材８は、棒状体２の長手方向に延びる棒状のボルト８ａと、第２支持部７の外側に位置する袋ナット８ｂとを備えており、ボルト８ａは筒状の保護部材に覆われている。また、第１支持部５及び第２支持部７は、棒状体２の並設方向における棒状体２の一方側（上側）で連結部材９を介して互いに連結されている。以下では、便宜上、棒状体２から見て連結部材９が設けられる方向を上方向、その反対方向を下方向として「上」及び「下」と方向を定めて説明を行う。なお、これらの方向は単に説明の便宜上のものであって、本発明の範囲を限定するものではない。
【００１７】
棒状体２は、例えば丸棒状となっており１５本並んで配置されている。１５本の棒状体２の長さは、例えば互いに同一となっている。棒状体２の一端２ａは、被検者Ｍの身体に当てられる部位であり、例えば長円状に拡張している。棒状体２の他端２ｂには拡張部２ｃが形成されている。拡張部２ｃは、例えば、フランジ状に拡径した拡径部であり、拡張部２ｃの直径は、一般部２ｄ（拡張部２ｃが設けられていない部分）の直径よりも５ｍｍ程度大きくなっている。拡張部２ｃのセンサ３側の面は平坦状となっており、この面には光沢を低下させる部材が設けられている。また、拡張部２ｃの内側には、拡張部２ｃよりも直径が小さいワッシャ２ｅが配置されている。ワッシャ２ｅは、例えばゴム製であり、比較的弾性の高い材料によって構成されている。
【００１８】
棒状体２の一般部２ｄの直径は、第１支持部５、ブレーキ板６及び第２支持部７に形成された各挿通孔５ａ，６ａ，７ａの直径よりも小さいので、棒状体２は挿通孔５ａ，６ａ，７ａに挿通された状態で棒状体２の長手方向に移動可能となっている。また、棒状体２の一端２ａに設けられた拡張部の直径、及び他端２ｂに設けられた拡張部２ｃの直径は、共に挿通孔５ａ，６ａ，７ａの直径よりも大きい。従って、棒状体２をセンサ３から離れる方向に移動させていくと拡張部２ｃ及びワッシャ２ｅが第１支持部５に当接し、棒状体２をセンサ３に近づく方向に移動させていくと一端２ａの拡張部が第２支持部７に当接する。
【００１９】
また、棒状体２の他端２ｂとセンサ３との距離は、拡張部２ｃ及びワッシャ２ｅが第１支持部５に当接した状態で最も長くなり、一端２ａの拡張部が第２支持部７に当接した状態で最も短くなる。他端２ｂとセンサ３との距離の最小値は例えば４ｃｍであり、他端２ｂとセンサ３との距離の最大値は例えば１２ｃｍである。ただし、他端２ｂとセンサ３との距離の最小値及び最大値は適宜変更可能である。
【００２０】
ベース部４における棒状体２の反対側には、寝具用形状測定装置１を把持する把持部１０が固定されており、この把持部１０を使用者が持って簡単に寝具用形状測定装置１を持ち上げられるようになっている。把持部１０には、複数の棒状体２の長手方向への移動を規制するブレーキＢが設けられている。
【００２１】
ブレーキＢは、前述したブレーキ板６と、使用者が手で持って操作する操作部１１と、操作部１１から上方に延びると共に連結部材９の貫通孔９ａを通ってブレーキ板６の上端にまで延在するワイヤ１１ａと、ワイヤ１１ａを覆って保護すると共に把持部１０から連結部材９にまで延びるアウターケーブル１１ｂと、連結部材９の貫通孔９ａに通されると共にアウターケーブル１１ｂを連結部材９に固定する固定部材１１ｃとを備えている。
【００２２】
操作部１１は、寝具用形状測定装置１を把持するハンドルを兼ねている。ワイヤ１１ａはブレーキ板６の上端に固定されている。使用者が操作部１１を握って引くとワイヤ１１ａがブレーキ板６を引っ張り上げて、各挿通孔６ａに挿通されている全ての棒状体２に下から挿通孔６ａの内面が当接する。このように操作部１１が握られると全ての棒状体２に下から挿通孔６ａの内面が当接するので、当該内面と棒状体２との摩擦力によって棒状体２の長手方向への移動が規制される。この操作部１１により、棒状体２の長手方向への移動を規制して、棒状体２の位置を固定させることが可能となる。なお、操作部１１から手を離すと、ブレーキＢの付勢力によって操作部１１、ワイヤ１１ａ及びブレーキ板６が自動的に元の位置に戻り、棒状体２の位置固定が解除される。
【００２３】
把持部１０は、操作部１１を引いた状態で保持する保持部１２を備えている。保持部１２は、２個のローラ部材１２ａ（図１では紙面の奥行方向に２個のローラ部材１２ａが並んでいる）で構成されており、２個のローラ部材１２ａの間に操作部１１を挟み込むことによって操作部１１を引いた状態で保持する。
【００２４】
この保持部１２が設けられることにより操作部１１が引いた状態で保持されるので、使用者が操作部１１から手を離しても、操作部１１を引いた状態を維持することが可能である。このように操作部１１を引いた状態で維持することにより、棒状体２の長手方向への移動を規制して全ての棒状体２の位置を固定させることが可能である。また、２個のローラ部材１２ａからは、操作部１１を押し出すことによって、保持部１２による操作部１１の保持を解除することができる。
【００２５】
ブレーキ板６の上端にはワイヤ１１ａの張力を調整する調整部材１３が設けられており、この調整部材１３を使用者が回転操作することによって操作部１１の効き具合を調整することが可能である。
【００２６】
図１及び図２に示されるように、前述した複数のセンサ３からは、ベース部４の裏側にケーブル３ａが延びており、また、ベース部４の把持部１０側には箱状のケーブル収容部１４が固定されている。ケーブル収容部１４に収容された複数のケーブル３ａは複数の棒状体２の下方に位置する基板１５に接続されている。基板１５は箱状の基板収容部材１６に収容されており、この基板収容部材１６は例えばベース部４に固定されている。ただし、基板１５及び基板収容部材１６の配置位置は適宜変更可能である。基板１５は、例えばBluetooth（登録商標）モジュールであり、離れた位置に存在する情報端末１７と通信可能となっている。情報端末１７としては、例えば、パーソナルコンピュータ、タブレット端末又はスマートフォン等の携帯電話が挙げられる。
【００２７】
図２及び図３に示されるように、センサ３は、棒状体２の他端２ｂに赤外線Ｌを出力すると共に他端２ｂで反射された赤外線Ｌを受光することによって、棒状体２と基準面Ｓとの距離Ｄ１，Ｄ２，…Ｄ１５をそれぞれ検出する赤外線センサである。距離Ｄ１，Ｄ２，…Ｄ１５は、各センサ３によって検出された距離を示しており、棒状体２の本数分検出される。本実施形態では、１５の距離Ｄ１，Ｄ２，…Ｄ１５が検出される。このように、各センサ３は、棒状体２と基準面Ｓとの距離Ｄ１，Ｄ２，…Ｄ１５を検出することによって、各棒状体２の長手方向における位置を検出する。また、基準面Ｓは、棒状体２の長手方向に交差（例えば直交）する交差方向（上下方向）に延在する面であり、例えばセンサ３の赤外線の出射面である。
【００２８】
センサ３は、赤外線Ｌを出力する出力部と、赤外線Ｌを受光する受光部とを有する。各センサ３は、その出力部が赤外線Ｌを他端２ｂに出力してから受光部が他端２ｂからの赤外線Ｌを受光するまでの時間を計測することによって、各距離Ｄ１，Ｄ２，…，Ｄ１５をリアルタイムで検出する。このように各センサ３によって検出された距離Ｄ１，Ｄ２，…，Ｄ１５の値は、被検者Ｍの身体の形状データを含む電気信号として各ケーブル３ａを介して基板１５（データ取得部）に取得される。
【００２９】
基板１５によって取得された距離Ｄ１，Ｄ２，…，Ｄ１５の値は、例えばBlueToothによって基板１５から情報端末１７にリアルタイムで送信される。また、基板収容部材１６には、基板１５をＯＮ／ＯＦＦするスイッチが設けられている。そして、基板収容部材１６のスイッチがＯＮ操作されることによって情報端末１７への通信が可能となり、ＯＦＦ操作されることによって情報端末１７への通信が遮断される。
【００３０】
情報端末１７は、複数のセンサ３によって検出された距離Ｄ１，Ｄ２，…，Ｄ１５から被検者Ｍの身体の形状データを取得する。情報端末１７には、例えば、予めソフトウェアがインストールされており、このソフトウェアが受信した距離Ｄ１，Ｄ２，…，Ｄ１５から被検者Ｍの身体形状をディスプレイ１７ａに表示する。更に、情報端末１７は、取得した被検者Ｍの身体の形状データから被検者Ｍに適した枕を選択し、選択した枕のリストをディスプレイ１７ａに表示する。
【００３１】
以上のように構成される寝具用形状測定装置１を用いて被検者Ｍの身体の形状を測定する方法について説明する。まず、基板収容部材１６のスイッチをＯＮにした状態で情報端末１７のソフトウェアを起動させる。そして、基板１５と情報端末１７との通信が可能であることを確認した後に、図４（ａ）に示されるように、使用者が把持部１０を手で持って複数の棒状体２の一端２ａを被検者Ｍの後頭部Ｐ１及び頸部Ｐ２に当てる。
【００３２】
複数の棒状体２の一端２ａを被検者Ｍの後頭部Ｐ１及び頸部Ｐ２に当てると、各棒状体２の長手方向の位置が後頭部Ｐ１及び頸部Ｐ２の形状に沿って移動する。この移動によって、各棒状体２の他端２ｂが並ぶ形状も後頭部Ｐ１及び頸部Ｐ２に沿った形状となる。また、棒状体２の各々に対応するセンサ３は自動的に他端２ｂと基準面Ｓとの距離Ｄ１，Ｄ２，…，Ｄ１５を検出して、これらの距離Ｄ１，Ｄ２，…，Ｄ１５の値を基板１５を介して情報端末１７に送信する。従って、棒状体２の移動に伴って後頭部Ｐ１及び頸部Ｐ２の形状データが情報端末１７にリアルタイムに取得される。情報端末１７が取得した形状データは、例えば、図４（ｂ）の高さ表示部１７ｂに示されるように、敷き布団の上面（ゼロ点）に対する高さを示すグラフとしてリアルタイムに表示される。
【００３３】
また、複数の棒状体２の一端２ａを被検者Ｍの後頭部Ｐ１及び頸部Ｐ２に当てた後には操作部１１を引いて保持部１２で操作部１１を保持することにより、全ての棒状体２の位置を固定する。そして、情報端末１７で取得された後頭部Ｐ１及び頸部Ｐ２の形状データを確定させる。
【００３４】
その後、例えば、被検者Ｍからヒアリング等で入手した枕の硬さの情報に応じて、「柔らかめ」ボタン１７ｃ、「普通」ボタン１７ｄ及び「硬め」ボタン１７ｅのいずれかを押して「決定」ボタン１７ｆを押すと、後頭部Ｐ１及び頸部Ｐ２の高さと枕の硬さの情報に応じた枕のリストがディスプレイ１７ａに表示される。更に、得られた被検者Ｍの形状データは情報端末１７に保存される。
【００３５】
なお、「柔らかめ」ボタン１７ｃ、「普通」ボタン１７ｄ及び「硬め」ボタン１７ｅに代えて、別の情報を入力するボタン等がディスプレイ１７ａにあってもよい。また、寝具用形状測定装置１は、枕の硬さの情報を入手せず、被検者Ｍの後頭部Ｐ１及び頸部Ｐ２の高さのみに応じた枕のリストをディスプレイ１７ａに表示してもよい。
【００３６】
更に、情報端末１７は、Ｘｃｍ以上が「高い」、Ｙｃｍ未満が「低い」といった閾値（Ｘ及びＹは、Ｘ＞Ｙを満たす正の実数）を保持すると共に、後頭部Ｐ１及び頸部Ｐ２の高さの値に応じて、「高い」、「普通」、「低い」といった分類を行ってもよい。この例の場合、高さの値がＸｃｍ以上のときに「高い」、Ｙｃｍ以上且つＸｃｍ未満のときに「普通」、Ｙｃｍ未満のときに「低い」と分類される。
【００３７】
以上、本実施形態の寝具用形状測定装置１では、複数の棒状体２のそれぞれに対応して設けられて各棒状体２の長手方向における位置を検出する複数のセンサ３と、複数のセンサ３によって得られた複数の棒状体２の位置から後頭部Ｐ１及び頸部Ｐ２の形状データを取得する基板１５とを備えている。このように複数のセンサ３が検出した棒状体２の位置から後頭部Ｐ１及び頸部Ｐ２の情報を形状データとして取得することによって、各棒状体２の位置から形状データを自動的に取得することができる。従って、目視で棒状体２の位置を確認した場合と比較して、後頭部Ｐ１及び頸部Ｐ２の形状の測定精度を高めることができる。
【００３８】
また、棒状体２の一端２ａを被検者Ｍの後頭部Ｐ１及び頸部Ｐ２に当てることによって自動的に且つリアルタイムで後頭部Ｐ１及び頸部Ｐ２の形状を取得することができるので、被検者Ｍに適した枕の選択を効率よく行うことができる。更に、後頭部Ｐ１及び頸部Ｐ２の形状が自動的に取得されるので、枕のアドバイザー等の使用者が熟練しているか否かにかかわらず、提供する枕の品質のばらつきを低減させることができる。
【００３９】
また、センサ３は、赤外線Ｌを棒状体２の他端２ｂに出力すると共に他端２ｂで反射された赤外線Ｌを受光して他端２ｂと基準面Ｓとの距離Ｄ１，Ｄ２，…，Ｄ１５を検出することによって、棒状体２の長手方向における位置を検出し、棒状体２の他端２ｂには、赤外線Ｌを反射させる拡張部２ｃが形成されている。このように棒状体２と基準面Ｓとの距離Ｄ１，Ｄ２，…，Ｄ１５を赤外線Ｌで検出することにより、赤外線以外の手段を用いた場合と比較してセンサ３にかかるコストの上昇を抑えることができる。
【００４０】
また、棒状体２の他端２ｂに拡張部２ｃが設けられることによって赤外線Ｌの反射面積を大きくすることができるので、赤外線Ｌをより確実にセンサ３に反射させることができる。従って、後頭部Ｐ１及び頸部Ｐ２の形状測定の品質を一層高めることができる。
【００４１】
更に、拡張部２ｃは、第１支持部５からの棒状体２の抜けを防止するストッパでもあるため、ストッパとしての拡張部２ｃを赤外線Ｌの反射部として兼用することができる。また、拡張部２ｃのセンサ３側の面には光沢を低下させる部材が設けられているので、赤外線Ｌの反射を一層良好に行うことができる。
【００４２】
また、寝具用形状測定装置１は、複数の棒状体２の長手方向への移動を規制するブレーキＢを備え、ブレーキＢは、複数の棒状体２が挿通される複数の挿通孔６ａを有するブレーキ板６と、ブレーキ板６を上方に引っ張るワイヤ１１ａと、ワイヤ１１ａを介してブレーキ板６の移動を操作する操作部１１とを有し、操作部１１は、寝具用形状測定装置１を把持するハンドルを兼ねている。従って、操作部１１を操作することによって、後頭部Ｐ１及び頸部Ｐ２の形状の測定後に棒状体２の位置を固定させることができる。このため、後頭部Ｐ１及び頸部Ｐ２の形状の測定後に意図せず棒状体２が移動してしまう事態を回避することができるので、一層高精度な身体形状の測定が可能となる。
【００４３】
更に、寝具用形状測定装置１は、測定した被検者Ｍの後頭部Ｐ１及び頸部Ｐ２の高さに応じて枕のリストを情報端末１７に表示させる。すなわち、複数の棒状体２の一端２ａを後頭部Ｐ１及び頸部Ｐ２に当てて所定の操作を行うだけで枕のリストが表示されるので、枕の購入者等に最適な枕を一層効率よく提供することが可能となる。
【００４４】
以上、本発明の実施形態について説明したが、本発明は、前述した実施形態に限られるものではなく、各請求項に記載した要旨を変更しない範囲で変形してもよい。すなわち、本発明は、特許請求の範囲に記載した要旨を変更しない範囲で種々の変形が可能である。
【００４５】
例えば、前述の実施形態において、センサ３は、赤外線Ｌによって棒状体２と基準面Ｓとの距離Ｄ１，Ｄ２，…Ｄ１５を検出した。しかしながら、棒状体２と基準面Ｓとの距離Ｄ１，Ｄ２，…Ｄ１５を検出する手段は、赤外線でなくてもよく、適宜変更可能である。例えば、赤外線センサであるセンサ３に代えて、棒状体２の他端２ｂに超音波を発信し他端２ｂからの反射波を受信器で受信することによって距離Ｄ１，Ｄ２，…Ｄ１５を検出する超音波センサを用いてもよい。また、光源と受光素子とを有し、光源から他端２ｂに光を照射すると共に他端２ｂから反射された光を受光素子が受光することによって距離Ｄ１，Ｄ２，…Ｄ１５を検出する光センサを用いてもよい。
【００４６】
更に、センサ３に代えて、例えば、棒状体２に複数のスリットを形成すると共に、棒状体２の一方側に発光素子、棒状体２の他方側に受光素子、をそれぞれ配置してもよい。そして、この発光素子からスリットに光を照射して、この光を受光素子で検出することによって、棒状体２の長手方向における位置を検出してもよい。このように、棒状体２の長手方向における位置を検出する手段としては種々のものが挙げられる。
【００４７】
また、前述の実施形態では、棒状体２が１５本設けられ且つセンサ３が１５個設けられる例について説明したが、棒状体及びセンサの個数は適宜変更可能である。
【００４８】
また、前述の実施形態では、基板１５が情報端末１７とBluetoothによって通信を行う例について説明したが、例えば無線ＬＡＮ又は赤外線通信等、他の通信方式を利用することも可能である。
【００４９】
また、前述の実施形態では、情報端末１７に予めソフトウェアがインストールされており、このソフトウェアが被検者Ｍの身体形状をディスプレイ１７ａに表示する例について説明したが、情報端末１７にインストールされているソフトウェアの機能は適宜変更可能である。すなわち、情報端末１７は、受信した距離Ｄ１，Ｄ２，…，Ｄ１５の値からどのような処理を行ってもよい。更に、情報端末１７は、前述のソフトウェア自体がインストールされていなくてもよく、単に距離Ｄ１，Ｄ２，…，Ｄ１５の値を形状データとして受信するだけでもよい。
【００５０】
また、前述の実施形態では、寝具用形状測定装置１が、枕の購入者である被検者Ｍの後頭部Ｐ１及び頸部Ｐ２の形状を形状データとして取得する例について説明した。しかしながら、寝具用形状測定装置１は、例えば被検者Ｍの背中の形状等、後頭部Ｐ１又は頸部Ｐ２以外の部分における身体形状を測定してもよい。
【００５１】
更に、前述の実施形態では、寝具用形状測定装置１が被検者Ｍに適した枕を自動的に選択する例について説明した。しかしながら、寝具用形状測定装置１は、例えば被検者Ｍの背中の形状を測定して被検者Ｍに適したマットレスを選択する等、枕以外の寝具を自動的に選択してもよい。
【符号の説明】
【００５２】
１…寝具用形状測定装置、２…棒状体、２ａ…一端、２ｂ…他端、２ｃ…拡張部、２ｄ…一般部、２ｅ…ワッシャ、３…センサ、３ａ…ケーブル、４…ベース部、５…第１支持部（支持部）、５ａ，６ａ，７ａ…挿通孔、６…ブレーキ板、７…第２支持部（支持部）、８…連結部材、８ａ…ボルト、８ｂ…袋ナット、９…連結部材、９ａ…貫通孔、１０…把持部、１１…操作部、１１ａ…ワイヤ、１１ｂ…アウターケーブル、１１ｃ…固定部材、１２…保持部、１２ａ…ローラ部材、１３…調整部材、１４…ケーブル収容部、１５…基板（データ取得部）、１６…基板収容部材、１７…情報端末、１７ａ…ディスプレイ、１７ｂ…高さ表示部、１７ｃ，１７ｄ，１７ｅ，１７ｆ…ボタン、Ｂ…ブレーキ、Ｄ１，Ｄ２，…，Ｄ１５…距離、Ｌ…赤外線、Ｍ…被検者、Ｐ１…後頭部（身体）、Ｐ２…頸部（身体）、Ｓ…基準面。
【図１】
2017064107.tif 000003
【図２】
2017064107.tif 000004
【図３】
2017064107.tif 000005
【図４】
2017064107.tif 000006